【事件の表示】
　平成　３年　特　許　願　第２７４８５１号「印字装置」拒絶査定に対する審判事件（平成　５年　４月　９日出願公開、特開平５−　８８８２５）について、次のとおり審決する。
【結論】
　本件審判の請求は、成り立たない。
【理由】
１．手続の経緯・本願発明
　本願は、平成３年９月２５日の出願であって、その請求項１に係る発明は、その特許請求の範囲の請求項１に記載された次のとおりのものである。
（以下、「本願発明」という。）
「【請求項１】　複数行の印字文字を入力する入力手段と、入力手段から入力された印字文字のデータを記憶する入力データメモリと、前記入力された印字文字を表示するディスプレイと、前記複数行の印字文字に対してそれを囲む矩形状の罫線枠を付けることを指示する設定手段であって、ディスプレイに表示された印字文字のうち、罫線枠で囲む始点に対応する文字と、終点に対応する文字を指示する設定手段と、前記入力データメモリのデータと前記設定手段で設定された始点と終点のデータを受け、これらのデータに基づいて前記複数行のうちの最長行の長さに応じて前記罫線枠の少なくとも長さを決め、前記罫線枠の印字用のパターンデータを作成する印字データ作成手段と、前記印字データ作成手段からパターンデータを受けて印字する印字ヘッドを有する印字手段とを備えることを特徴とする印字装置。」
２．先願明細書に記載された発明
　これに対して、原査定の拒絶の理由に引用された、本願の出願の日前の他の出願であって、その出願後に出願公開された特願平３−２２０１８７号（特開平５−６１６２３号公報参照）の願書に最初に添付した明細書又は図面（以下、「先願明細書」という。）には、次の事項が記載されている。
▲１▼「キ一人力部１２には、ラベルプリント用の名前、見出し、インデックス等の文字列データを作成するためのワードプロセッサ機能に即した文字入力キー、かな／漢字変換キー、次候補キー、カーソルキー、改行キー、及び実行キー等の他、１ラベルに対する文字列データ毎の境界を区切るための「停」キー、該文字列データを任意の範囲で枠付きに指定するための枠指定キーや枠区切りキー、印字動作を開始させるための印字開始キー等が備えられる。表示部１３には、上記キー人力操作に伴い得られる文字列データや枠指定データが、それぞれ該当する処理に応じて表示される。」（段落【００１０】の記載を参照。）
▲２▼「例えばキー入力部１２及び表示部１３を使用して任意の文字列データを入力し、被印字文字列「ＡＢＣ会社／開発部／第３開発課／０１２−３４５−５６６６」が生成されると、その文字列データは停止コードにより区切られて印字データ記憶部４２に記憶される。」（段落【００２６】の記載を参照。）
▲３▼「図７は上記ラベルプリンタにおける枠指定された被印字文字列のラベルプリント状態を示すものであって、同図（Ａ）は被印字文字列の全体を連続枠指定した場合のラベルプリント状態を示す図、・・・（中略）・・・である。」（段落【００２７】の記載を参照。）
▲４▼「上記被印字文字列「ＡＢＣ会社／開発部／第３開発課／０１２−３４５−５６６６」の全文に対し連続的な枠指定を行った場合に、印字モードが設定されると、印字データ記憶部４２に記憶される上記被印字文字列の個々の文字データの制御コードが順次制御部４１に読出され、枠制御コードを有する先頭文字「Ａ」の
文字座標と終了文字「６」の文字座標とが、それぞれ枠開始アドレスと枠終了アドレスとして制御コードレジスタ４６に記憶される（ステップＳ１、Ｓ２）。
また、改行制御コードを有する３つの文字「社」「部」「課」それぞれの文字座標が改行アドレスとして上記制御コードレジスタ４６に記憶される（ステップＳ３）。」（段落【００２８】の記載を参照。）
▲５▼「被印字文字列に枠制御コードが存在すること、つまり、被印字文字列が枠指定されていることが制御部４１により判断され、また、枠指定された先頭文字アドレスが被印字文字列中の行頭であることが判断され、さらに、枠指定された被印字文字列内に改行制御コードが存在すること、つまり、枠指定された被印字文字列が複数行からなっていることが判断されると、複数行からなる被印字文字列がその先頭から枠指定されていることになり、上記制御コードレジスタ４６に記憶された枠開始アドレスとしての枠指定先頭文字座標と改行コード数ｎを（＋１）した枠指定被印字文字列の行数（この場合３＋１＝４行）とに基づき、印字開始側の縦枠列に対応する印字ドット座標が枠開始列アドレスとして枠印字制御レジスタ４７に記憶される（ステップＳ４〜Ｓ７）。」（段落【００２９】の記載を参照。）
▲６▼「上記制御コードレジスタ４６に記憶された枠終了アドレスとしての枠指定終了文字座標が複数行からなる被印字文字列中の何れかの行末に一致するか否かが判断される（ステップＳ８）。
　この場合、上記枠終了アドレスに対応する枠指定終了文字座標は、行末であり且つ文末でもある文字「６」に一致すると判断され、上記制御コードレジスタ４６に記憶された枠指定被印字文字列の各改行コード文字座標に基づき、その最長行末座標が判定されると共に、この最長行末座標と上記改行コード数ｎを（＋１）した枠指定被印字文字列の行数（この場合３＋１＝４行）とに基づき、印字終了側の縦枠列に対応する印字ドット座標が枠終了列アドレスとして枠印字制御レジスタ４７に記憶される（ステップＳ８→Ｓ９）。」（段落【００３０】〜【００３１】の記載を参照。）
▲７▼「すると、上記枠印字制御レジスタ４７には、４行からなる被印字文字列「ＡＢＣ会社／開発部／第３開発課／０１２−３４５−５６６６」の全文を囲むべく前後縦粋の印字位置が得られたことになり、この前後縦枠の各始点座標間及び各終点座標間に対応する印字ドット座標をそれぞれ上下横粋の印字位置とすることにより、印字開始キーを操作することで、図７（Ａ）で示すように、枠指定された被印字文字列の全体を囲む矩形枠付きラベル印字が行われるようになる。」（段落【００３２】の記載を参照。）
▲８▼「枠印字制御レジスタ４７は、上記制御コードレジスタ４６の記憶データにより判断された枠指定被印字文字列の先頭印字位置及び終了印字位置、そしてその印字行数とそれぞれの印字長さに基づき得られる頭部縦枠の印字ドット座標及び最終縦枠の印字ドット座標を記憶するもので、この枠印字制御レジスタ４７に記憶された被印字文字列に対する前後縦枠の印字ドット座標に基づき上下横粋の印字ドット座標も得られるようになる。」（段落【００２５】の記載を参照。）
▲９▼「印字制御部４３は、印字データ記憶部４２から順次読出される被印字文字データの、予め設定された印字書式情報に対応した印字処理を行うべく、印字部４４におけるサーマルプリントヘッド３４の印字動作を制御すると共に、テープ送り部４５におけるリボン巻取り軸３０及びプラテンローラ３３それぞれの回転動作を制御するもので、このテープ送り部４５でのリボン巻取り軸３０及びプラテンローラ３３それぞれの回転駆動速度、つまり、接着剤付きラベル２３及びインクリボン２４の搬送速度は、印字部４３に対するサーマルプリントヘッド３４の印字駆動タイミングに応じて制御される。」（段落【００２２】の記載を参照。）
▲１０▼「電源スイッチ１４の投入後、キー入力部１２及び表示部１３を使用して任意の文字列データを作成し、これを被印字文字列として印字処理を開始させる
と、図示しないラベルに上記被印字文字列が印字されてラベル排出ロ１５から順次排出されることになる。この場合、上記印字文字列に対し、予め枠指定が行われている場合には、被印字文字列はその文字列の周囲に自動的に枠が付されて印字されることになる。」（段落【００１２】〜【００１３】の記載を参照。）
　ここで、上記記載事項▲４▼において「上記被印字文字列・・・の全文に対し連続的な枠指定を行った場合」とあることから、当然に枠指定を行う手段を有するものと解される。
　そうすると、上記記載事項及び図面の記載を総合勘案して、結局、上記先願明細書には次の発明が記載されている。
　複数行の被印字文字列を入力するキー入力部１２と、キー入力部から入力された被印字文字列のデータを記憶する印字データ記憶部４２と、前記入力された被印字文字列を表示する表示部１３と、前記複数行の被印字文字列全文に対してそれを囲む連続的な枠指定を行う手段と、前記印字データ記憶部のデータと前記枠指定を行う手段で設定された枠指定先頭文字座標と枠指定終了文字座標と枠指定被印字文字列の各改行コード文字座標を受け、これらのデータに基づいて印字開始側の縦枠列に対応する印字ドット座標、及び、複数行からなる被印字文字列の最長行末座標を判定し印字終了側の縦枠列に対応する印字ドット座標を得て前後縦枠の印字位置を決め、この前後縦枠の各始点座標間及び各終点座標間に対応する印字ドット座標をそれぞれ上下横粋の印字位置として記憶する枠印字制御レジスタ４７と、印字データ記憶部と枠印字制御レジスタからのデータに基づいて枠を含む印字用のデータを作成する制御部４１、及び印字制御部４３と、前記印字制御部から枠を含む印字データを受けて印字するサーマルプリントヘッド３４を有する印字部４４と、を備える印字装置。
３．対比・判断
　本願発明と上記先願明細書に記載された発明とを対比する。
　先願明細書に記載された発明における「キー入力部」「印字データ記憶部」、及び「表示部」は、それぞれ、本願発明における「入力手段」「入力データメモリ」、及び「ディスプレイ」に相当する。先願明細書に記載された発明における「枠指定を行う手段」は、複数行の被印字文字列全文に対してそれを囲む連続的な枠つまり矩形状の罫線枠を付けることを指定するものであるから、本願発明における「複数行の印字文字に対してそれを囲む矩形状の罫線枠を付けることを指示する設定手段」に相当する。先願明細書に記載された発明における「枠指定を行う手段で設定された枠指定先頭文字座標と枠指定終了文字座標」は、本願発明における「設定手段で設定された始点と終点のデータ」に相当し、先願明細書に記載された発明における「印字開始側の縦枠列に対応する印字ドット座標、及び、複数行からなる被印字文字列の最長行末座標から印字終了側の縦枠列に対応する印字ドット座標を得て前後縦枠の印字位置を決め」ることは、本願発明における「複数行のうちの最長行の長さに応じて前記罫線枠の長さを決め」ることに相当する。先願明細書に記載された発明における「印字データ記憶部と枠印字制御レジスタからのデータに基づいて枠を含む印字用のデータを作成する制御部４１、及び印字制御部４３」は、本願発明における「前記罫線枠の印字用のパターンデータを作成する印字データ作成手段」に相当する。先願明細書に記載された発明における「サーマルヘッド」は、本願発明における「印字へッド」に相当する。
　そうすると、本願発明と先願明細書に記載された発明とは、複数行の印字文字を入力する入力手段と、入力手段から入力された印字文字のデータを記憶する入力データメモリと、前記入力手段から入力された印字文字を表示するディスプレイと、前記複数行の印字文字に対してそれを囲む矩形状の罫線枠を付けることを指示する設定手段と、前記入力データメモリのデータと前記設定手段で設定された始点と終点のデータを受け、これらのデータに基づいて前記複数行のうちの最長行の長さに応じて前記罫線枠の長さを決め、前記罫線枠の印字用のパターンデータを作成する印字データ作成手段と、前記印字データ作成手段からパターンデータを受けて印字する印字ヘッドを有する印字手段とを備える印字装置である点で一致し、次の点で一応相違する。
　相違点
　罫線枠を付けることを指示する設定手段に関し、本願発明においては、ディスプレイに表示された印字文字のうち、罫線枠で囲む始点に対応する文字と終点に対応する文字を指示するものであるのに対し、先願明細書に記載された発明においては、被印字文字列全文に対し連続的な枠指定をする具体的な手段について言及されていない点
　上記相違点について検討すると、ディスプレイに表示された文字列に対し処理範囲を設定しようとする場合、処理範囲を設定すべき文字列のうち当該処理範囲の始点に対応する文字と終点に対応する文字を指定して行うことは、周知の技術である〔必要があれば、沢辺恭一「一太郎Ｖｅｒ．３ハンディ．マニュアル」（１９８７）ナツメ社Ｐ．９６−９９を参照されたい。〕から、先願明細書に記載された発明において、被印字文字列全文に対し連続的な枠指定をする場合、上記周知技術のように、ディスプレイに表示された処理範囲となる枠で囲むべき被印字文字列のうち、単に、始点に対応する文字と終点に対応する文字を指定することによって枠指定を行うことは、枠指定のために当業者がなし得る具体化手段における微差すなわち周知技術の転換であって、新たな効果を奏するものではない。
　したがって、本願発明は、先願明細書に記載された発明と実質的に同一である。
４．むすび
　以上のとおりであるから、本願の請求項１に係る発明は、先願明細書に記載された発明と同一であり、しかも、本願の請求項１に係る発明の発明者が上記先願明細書に記載された発明の発明者と同一であるとも、また、本願の出願時に、その出願人が上記他の出願の出願人と同一であるとも認められないので、本願の請求項１に係る発明は、特許法第２９条の２第１項の規定により特許を受けることができない。
　よって、結論のとおり審決する。